【事件の表示】
　平成　３年特許願第１５１９６７号「印刷制御装置」拒絶査定に対する審判事件［平成　５年　１月　８日出願公開、特開平　５−　　　５５３］について、次のとおり審決する。
【結　論】
　本件審判の請求は、成り立たない。
【理　由】
１．手続の経緯・本願発明
　本願は、平成３年６月２４日に出願されたものであって、その請求項１に係る発明は、平成１０年１２月７日付け手続補正書及び平成１２年１２月２５日付け手続補正書によって補正された明細書及び図面の記載からみて、本願の特許請求の範囲の請求項１に記載されたとおりの次のものと認める。（以下、「本願発明」という。）
「複数頁からなる文書を格納可能な文書記憶部と、該文書の各頁を夫々一枚の用紙に印字する際のヘッダ及び／もしくはフッタの印刷位置情報を指示入力する印刷位置指示手段と、該印刷位置指示手段により指示入力された印刷位置情報を記憶する印刷位置記憶手段と、同一用紙の左右半分の領域に夫々１頁分の文書を印刷する袋とじ印刷と文書の各頁を夫々一枚の用紙に印字する非袋とじ印刷とを選択指示する印刷指示手段と、プリンタと、上記記憶部中の文書を上記指示手段からの指示に基づいて上記プリンタで印刷させるための制御を司る制御手段とを備え、上記制御手段は、上記印刷指示手段より袋とじ印刷が指示されると、上記同一用紙の左右半分の領域に夫々印刷される一方の頁に係るヘッダ及び／もしくはフッタの印刷位置を上記印刷位置記憶手段に記憶された印刷位置情報に基づいて設定し、また他方の頁に係るヘッダ及び／もしくはフッタの印刷位置を上記一方の頁に係るヘッダ及び／もしくはフッタの印刷位置と上記用紙上で略線対称の位置となる様に設定し、また、非袋とじ印刷が指示されると、各用紙毎に印字される各頁に係るヘッダ及び／もしくはフッタの印刷位置を上記印刷位置記憶手段に記憶された印刷位置情報に従って設定することを特徴とする印刷制御装置。」
２．引用例
　これに対して、当審における拒絶の理由で引用した「キヤノン日本語ワードプロセッサキヤノワード８０使用説明書　上」キヤノン販売株式会社　１９８５年発行（職権による調査によると、１９８５年３月２５日に頒布された刊行物であり、関連業界においては広く知られている製品に係るものである。）（以下、「引用例」という。）には、
（ア）「文書の作成・編集・印刷・保存などの仕事は，本体に読込まれたシステムプログラムが行います。」（２−１４下から２行〜下から１行）
（イ）「本体内の文書用メモリの容量は（中略）１８ページです。」（８−１０メモ（１））
（ウ）「現在，文書作成画面に表示されている文書が，印刷されます。」（９−９第２行）
（エ）「印刷形式画面が表示されたら，「ヘッダ印刷」および「ヘッダ位置」を指定します。」（９−５８左上欄第２行〜第３行）
（オ）「袋とじ印刷＝［１］　１無し　２有り　（中略）　ヘッダ印刷＝［１］　０無し　１ヘッダ　２フッタ　ヘッダ位置＝［０］　０左詰　１中央　３右詰」（９−５８右上図）
（カ）「［通常印刷の場合］（中略）・ヘッダ横印刷位置・・・・・・「ヘッダ位置」で指定した位置。横方向印刷領域の左端（左詰め），中央（センタリング）または右端（右詰め）に印刷されます。」（９−５８左下欄下から１０行〜下から７行）
（キ）「［横書き袋とじ印刷の場合］通常印刷の場合と同じです。ただし，ヘッダ・フッタは用紙の中心に対して線対称な位置に印刷されます。」（９−６０第１行〜第３行）
が記載されている。
（ク）また、８−２の上図には、キヤノワード本体に文書用メモリを有し、その内容が文書作成画面に表示される構成が記載されており、表紙部の写真から、プリンタを有することは明らかである。
（ケ）さらに、９−６０の表には、ヘッダ・フッタ位置指定が左詰、右詰の場合、左ページ位置は、左詰め、右詰めであるのに対し、右ページ位置は、右詰め、左詰めであることが記載されている。
３．対比・判断
　上記（エ）、（オ）の記載からみて、引用例に記載された発明において、「ヘッダ印刷」において、１ヘッダを指定すると、「ヘッダ位置」において、ヘッダ位置を指定することとなり、「ヘッダ印刷」において、２フッタを指定すると、「ヘッダ位置」において、フッタ位置を指定することとなる。すなわち、引用例に記載された発明において、ヘッダもしくはフッタの位置を指定することができるので、ヘッダもしくはフッタの位置を指定する手段を有することは明らかである。そして、上記（オ）、（カ）、（キ）、（ケ）の記載からみて、引用例に記載された発明におけるヘッダもしくはフッタ位置の指定は、通常印刷の際のヘッダもしくはフッタの印刷位置を指定していることは明らかである。
  上記（オ）の記載から、引用例に記載された発明は、印刷形式画面で、「袋とじ印刷＝」に１ないし２を指示することにより、袋とじ印刷の無し、有りを決定することとなり、袋とじ印刷の無しとは、通常印刷のことであるから、袋とじ印刷と通常印刷とを選択指示する手段を有することは明らかである。
　上記（ア）の記載から、印刷をシステムプログラムが行うということは、該プログラムに従って制御する手段を引用例に記載された発明が有することは当然であるし、上記（ウ）、（ク）の記載から、引用例に記載された発明は、文書用メモリの内容が文書作成画面に表示され、該文書作成画面に表示されている文書が、印刷されることとなるし、印刷の際に、ヘッダ・フッタの印刷位置の指定する手段や、袋とじ印刷と通常印刷とを選択指示する手段の指示に基づいて印刷することは当然であるので、引用例に記載された発明においては、文書用メモリの内容をヘッダもしくはフッタの印刷位置を指定する手段や袋とじ印刷と通常印刷とを選択指示する手段の指示に基づいて印刷制御する手段を有することは明らかである。
　上記（カ）、（キ）、（ケ）の記載から判断して、引用例に記載された発明は、横書き袋とじ印刷が選択されると、左ページは、「ヘッダ位置」で指定した位置にヘッダもしくはフッタを印刷するのに対し、右ページは、「ヘッダ位置」で指定した位置と線対称な位置にヘッダもしくはフッタを印刷するものである。そして、上記（エ）、（オ）、（カ）、（キ）の記載からみて、引用例に記載された発明では、通常印刷か袋とじ印刷かの選択指示（指示入力）と、ヘッダもしくはフッタの印刷位置の指定（指示入力）が、それらの指定項目を持つ同一の印刷形式画面に基づいてなされていることから、通常印刷と袋とじ印刷それぞれの場合のヘッダもしくはフッタの印刷位置が、いずれも、上記指定時のヘッダもしくはフッタの印刷位置に基づくものであることが明らかであり、また、該指定時のヘッダもしくはフッタの印刷位置は、通常印刷する際のヘッダもしくはフッタの印刷位置ということができるから、横書き袋とじ印刷する際のヘッダもしくはフッタの印刷位置は、通常印刷する際のヘッダもしくはフッタの印刷位置に基づいて設定されるということができる。さらに、これらの制御は、印刷の際に成されるものであるから、印刷制御する手段が制御することは明らかである。
  上記（カ）の記載から、引用例に記載された発明は、通常印刷の場合、「ヘッダ位置」で指定した位置にヘッダを印刷するものである。すなわち、通常印刷する際のヘッダもしくはフッタの印刷位置に基づいて設定される。さらに、これらの制御も、印刷の際に成されるものであるから、印刷制御する手段が制御することは明らかである。
　また、上記（ア）〜（ケ）の記載から、引用例に記載された発明も、印刷を制御する装置であることは言うまでもない。
　そこで、上記２．（ア）〜（ケ）の記載を含む引用例の記載をまとめると、引用例には、
「容量が１８ページである文書用メモリと、通常印刷の際のヘッダもしくはフッタの印刷位置を指定する手段と、袋とじ印刷と通常印刷とを選択指示する手段と、プリンタと、文書用メモリの内容をヘッダもしくはフッタの印刷位置を指定する手段や、袋とじ印刷と通常印刷とを選択指示する手段に基づいて印刷制御する手段と、該印刷制御する手段は、横書き袋とじ印刷が選択されると、左ページのヘッダもしくはフッタの印刷位置は、通常印刷する際のヘッダもしくはフッタの印刷位置に基づいて設定され、右ページのヘッダもしくはフッタの印刷位置は、左ページのヘッダもしくはフッタの印刷位置と用紙の中心に対して線対称な位置に設定され、通常印刷が選択されると、ヘッダもしくはフッタの印刷位置は、通常印刷する際のヘッダもしくはフッタの印刷位置に基づいて設定される印刷を制御する装置。」
が記載されているものと認められる。
　そこで、本願発明と引用例に記載された発明とを対比すると、引用例に記載された発明の「通常印刷」、「横書き袋とじ印刷」、「左ページ」、「右ページ」、及び「用紙の中心に対して線対称な位置」は、それぞれ、本願発明の「文書の各頁を夫々一枚の用紙に印字する非袋とじ印刷」、「同一用紙の左右半分の領域に夫々１頁分の文書を印刷する袋とじ印刷」、「一方の頁」、「他方の頁」、及び「用紙上で略線対称の位置」に相当する。
　引用例に記載された発明の「文書用メモリ」は、容量が１８ページ有ることから、本願発明の「複数頁からなる文書を格納可能な文書記憶部」に相当する。
　引用例に記載された発明の「印刷位置を指定する手段」、「袋とじ印刷と通常印刷とを選択指示する手段」は、本願発明の「印刷位置情報を指示入力する印刷位置指示手段」、「同一用紙の左右半分の領域に夫々１頁分の文書を印刷する袋とじ印刷と文書の各頁を夫々一枚の用紙に印字する非袋とじ印刷とを選択指示する印刷指示手段」に相当する。
　本願発明の、「指示手段からの指示に基づいて」における「指示手段」とは、「印刷位置指示手段」、「印刷指示手段」を指すものと認められるので、引用例に記載された発明の「文書用メモリの内容をヘッダもしくはフッタの印刷位置を指定する手段や、袋とじ印刷と通常印刷とを選択指示する手段に基づいて印刷制御する手段」は、本願発明の「記憶部中の文書を上記指示手段からの指示に基づいて上記プリンタで印刷させるための制御を司る制御手段」に相当する。
　引用例に記載された発明では、「ヘッダもしくはフッタの印刷位置」であるのに対し、本願発明では、「ヘッダ及び／もしくはフッタの印刷位置」であるが、「ヘッダもしくはフッタの印刷位置」という点で、両者は対応している。
  引用例に記載された発明において、横書き袋とじ印刷が選択されるときの左ページのヘッダもしくはフッタの印刷位置や、通常印刷が選択されるときのヘッダもしくはフッタの印刷位置は、通常印刷する際のヘッダもしくはフッタの印刷位置に基づいて設定されるものであり、本願発明においては、印刷位置記憶手段に記憶された印刷位置情報に基づいて設定されるものであるが、印刷位置記憶手段には、文書の各頁を夫々一枚の用紙に印字する際のヘッダ及び／もしくはフッタの印刷位置情報を指示入力する印刷位置指示手段により指示入力された印刷位置情報を記憶するものであるから、文書の各頁を夫々一枚の用紙に印字（通常印刷）する際のヘッダもしくはフッタの印刷位置に基づいて設定されるという点で両者は対応している。
　したがって、両者は、
「複数頁からなる文書を格納可能な文書記憶部と、該文書の各頁を夫々一枚の用紙に印字する際のヘッダもしくはフッタの印刷位置情報を指示入力する印刷位置指示手段と、同一用紙の左右半分の領域に夫々１頁分の文書を印刷する袋とじ印刷と文書の各頁を夫々一枚の用紙に印字する非袋とじ印刷とを選択指示する印刷指示手段と、プリンタと、上記記憶部中の文書を上記指示手段からの指示に基づいて上記プリンタで印刷させるための制御を司る制御手段とを備え、上記制御手段は、上記印刷指示手段より袋とじ印刷が指示されると、上記同一用紙の左右半分の領域に夫々印刷される一方の頁に係るヘッダもしくはフッタの印刷位置を文書の各頁を夫々一枚の用紙に印字する際のヘッダもしくはフッタの印刷位置に基づいて設定し、また他方の頁に係るヘッダもしくはフッタの印刷位置を上記一方の頁に係るヘッダもしくはフッタの印刷位置と上記用紙上で略線対称の位置となる様に設定し、また、非袋とじ印刷が指示されると、各用紙毎に印字される各頁に係るヘッダもしくはフッタの印刷位置を文書の各頁を夫々一枚の用紙に印字する際のヘッダもしくはフッタの印刷位置に基づいて設定することを特徴とする印刷制御装置。」
である点で一致し、以下の点で相違する。
［相違点］
（１）本願発明が、「印刷位置指示手段により指示入力された印刷位置情報を記憶する印刷位置記憶手段」を有し、袋とじ印刷が指示されるときの一方の頁に係るヘッダ・フッタの印刷位置や、非袋とじ印刷が指示されるときの各頁に係るヘッダ・フッタの印刷位置を、印刷位置記憶手段に記憶された印刷位置情報に従って設定しているのに対し、引用例に記載された発明は、この点の記載がない点。
（２）文書とともに印刷されるものが、本願発明では、「ヘッダ及び／もしくはフッタの印刷位置」としているのに対し、引用例に記載された発明は、「ヘッダもしくはフッタの印刷位置」である点。
［相違点の検討］
　上記相違点について検討する。
　相違点（１）について
　引用例に記載された発明においては、印刷形式画面が表示されてヘッダ印刷位置を指定したら、即座に印刷を開始するのではなく、ヘッダ印刷位置を指定してから印刷を開始するまでの間に、ヘッダ印刷位置以外の印刷形式（たとえば、文字サイズ、印刷書体等）を指定したりすることができることは当然に考え得ることである。そうすると、その際に、ヘッダ印刷位置の情報を何らかの形で記憶しておかないとヘッダ印刷位置の情報が消えてしまうことから、ヘッダ印刷位置の情報を記憶する手段を何らかの形で有することは当然に考え得ることである。そして、ヘッダ印刷位置の情報を記憶する手段を有していれば、ヘッダ・フッタの印刷位置を設定する際に、ヘッダ印刷位置情報を記憶する手段に記憶された印刷位置情報に従って設定することは当然である。
　相違点（２）について
　「ヘッダ及び／もしくはフッタの印刷位置」なる記載は、「ヘッダ及びフッタの印刷位置」または「ヘッダもしくはフッタの印刷位置」と解され、引用例に記載された発明は「ヘッダもしくはフッタの印刷位置」についてであるから、この点は実質的な相違点ではない。
　なお、ヘッダ及びフッタの双方を印刷可能にする装置については、出願時に周知の構成であるから、本願発明が、「ヘッダ及びフッタの印刷位置」についてを含むものであるとしても、引用例に記載された発明と周知の構成より容易に思いつく程度のものにすぎない。
　そして、引用例に記載された発明は、先に検討したように、上記（オ）、（カ）、（キ）、（ケ）の記載から、ヘッダ・フッタ位置指定は、通常印刷の場合の印刷位置を指示入力していることから、本願明細書に記載されている「袋とじ印刷時のヘッダ／フッタ位置を各頁毎に別途指定しなくとも通常の印刷物と同様に隣接する頁との頁境界線を中心として略線対称の位置に自動的に印刷できる。」（段落番号００５２）という効果は、引用例に記載された発明から、当業者であれば予測できる程度のものであって格別のものとはいえない。
　なお、請求人は「引用例の装置では“印刷”を選択する毎に「ヘッダ印刷」及び「ヘッダ位置」の指定が必要であると考えられ、以前に指定した「ヘッダ印刷」及び「ヘッダ位置」を再利用可能か否かについては不明であります。即ち、引用例の装置では、以前に文書の各頁を夫々一枚の用紙に印字する際に「ヘッダ印刷」及び「ヘッダ位置」を指定したとしましても、その後袋とじ印刷をするために“印刷”を選択した際には再度「ヘッダ印刷」及び「ヘッダ位置」を指定し直さなければならないものであると思慮致します。・・・引用例に記載の発明では、確かに印刷画面で設定した印刷情報をフロッピディスクに記憶し、この記憶された印刷情報を呼出すことは可能でありますが、この印刷情報に印刷形式画面に表示されている全ての情報を含むか否かは不明であり、少なくとも「ヘッダ位置」に関する情報が含まれないのであれば、本願発明の如く、袋とじ印刷に非袋とじ印刷のために設定したへツダ及び／もしくはフッタの印刷位置情報を利用することは不可能であります。また、例えばフロッピディスクに記憶された印刷情報が非袋とじ印刷に関する情報であり、この非袋とじ印刷情報を呼出し、印刷形式画面上で「袋とじ印刷」に関する情報を袋とじ印刷に設定変更した際に上記非袋とじ印刷情報として記憶されていた「ヘッダ印刷」及び「ヘッダ位置」に関する情報がそのまま利用できる状態であるか否かは不明であり、初期値にリセットされることも考えられ、この場合にも、本願発明の如く、袋とじ印刷に非袋とじ印刷のために設定したへツダ及び／もしくはフッタの印刷位置情報を利用することは不可能であります。」（平成１３年５月２９日付け意見書第３頁第１６行〜第４頁第１６行）と主張し、本願発明が、
（Ａ）以前に指定した「ヘッダ印刷」及び「ヘッダ位置」を再利用可能であること、
（Ｂ）袋とじ印刷に非袋とじ印刷のために設定したへツダ及び／もしくはフッタの印刷位置情報を利用することが可能であること
を主張していると解されるが、本願の「印刷位置記憶手段」は、指示入力された印刷位置情報を記憶することが記載されているのみであり、発明の詳細な記載をみても、以前に指定した位置を再利用可能であることや、袋とじ印刷に非袋とじ印刷のために設定したへツダ及び／もしくはフッタの印刷位置情報を利用することについては何ら記載が見受けられないから、この主張は、請求項１の記載に基づかないものである。
　なお、仮に、上記（Ａ）、（Ｂ）に係る構成を本願発明が有しているとしても、引用例に記載された発明が、印刷画面で設定した印刷情報を記憶し、この記憶された印刷情報を呼出すことが可能であることから、印刷形式画面で設定した情報を記憶することについても当然に思いつくものである。そして、前回記憶された情報を印刷形式画面で表示した場合に、その情報を再利用することは当然可能であるし、前回記憶された情報を印刷形式画面で表示し、袋とじ印刷の無し、有りを変更した場合、ヘッダ位置を変更しない限りは、前回記憶されたヘッダ位置の情報を利用して印刷されると考えるのが普通であるから、上記（Ａ）、（Ｂ）に係る構成については引用例に記載された発明から容易に思いつくことができたものである。
　したがって、この主張は採用できない。
４．むすび
　したがって、本願発明は、引用例に記載された発明に基づいて当業者が容易に発明をすることができたものであるので、特許法第２９条第２項の規定により特許を受けることができない。
　よって、結論の通り審決する。